(57)【特許請求の範囲】
【請求項１】
液晶モジュールと、上記液晶モジュールの背面を覆うリアパネルと、上記液晶モジュールの前面の周縁部を覆う前縁部材と、上記液晶モジュール駆動用の回路基板とを備えたディスプレイ装置であって、
上記液晶モジュールは、液晶セルと、上記液晶セルの背面側に位置した導光板と、上記導光板の背面側に位置した反射板と、上記導光板の少なくとも一の端面に対向するように配置された複数の発光ダイオード（以下、「ＬＥＤ」という）と、上記反射板の周縁に沿った部分を背面側に覆うスペーサ部を有すると共に上記液晶セル、導光板、反射板及びＬＥＤを保持する保持枠とから成り、
上記回路基板は上記リアパネルと前縁部材との間の空間で上記液晶モジュールとほぼ同一の平面上に配置され、
上記リアパネルの後面部の前面の周縁寄りの少なくとも互いに対向した側縁に沿う位置の少なくとも一部に前方へ突出した段差部が形成され、
上記液晶モジュールの保持枠のスペーサ部の少なくとも互いに対向した側縁に沿う部分の少なくとも一部が上記段差部に当接され、
液晶モジュールの反射板とリアパネルの後面部との間に上記段差部の後面部からの突出高さと保持枠のスペーサ部の板厚との和に等しい間隙が形成され、
上記リアパネルの後面部の少なくとも４隅部に上記液晶モジュールの４隅部を平面方向で受ける受け部が形成され、
上記回路基板は上記保持枠に取り付けられ、
上記回路基板を外部と接続するためのハーネスが液晶モジュールの側方に配置され、
上記リアパネルに形成された連結片を後方から挿通されたネジが上記連結片の前面側に位置されたヒンジ部材に螺着された
ことを特徴とするディスプレイ装置。
【請求項２】
ディスプレイ装置を備えた情報処理装置であって、
上記ディスプレイ装置は、液晶モジュールと、上記液晶モジュールの背面を覆うリアパネルと、上記液晶モジュールの前面の周縁部を覆う前縁部材と、上記液晶モジュール駆動用の回路基板とを備え、
上記液晶モジュールは、液晶セルと、上記液晶セルの背面側に位置した導光板と、上記導光板の背面側に位置した反射板と、上記導光板の少なくとも一の端面に対向するように配置された複数のＬＥＤと、上記反射板の周縁に沿った部分を背面側に覆うスペーサ部を有すると共に上記液晶セル、導光板、反射板及びＬＥＤを保持する保持枠とから成り、
上記回路基板は上記リアパネルと前縁部材との間の空間で上記液晶モジュールとほぼ同一の平面上に配置され、
上記リアパネルの後面部の前面の周縁寄りの少なくとも互いに対向した側縁に沿う位置の少なくとも一部に前方へ突出した段差部が形成され、
上記液晶モジュールの保持枠のスペーサ部の少なくとも互いに対向した側縁に沿う部分の少なくとも一部が上記段差部に当接され、
液晶モジュールの反射板とリアパネルの後面部との間に上記段差部の後面部からの突出高さと保持枠のスペーサ部の板厚との和に等しい間隙が形成され、
上記リアパネルの後面部の少なくとも４隅部に上記液晶モジュールの４隅部を平面方向で受ける受け部が形成され、
上記回路基板は上記保持枠に取り付けられ、
上記回路基板を外部と接続するためのハーネスが液晶モジュールの側方に配置され、
上記リアパネルに形成された連結片を後方から挿通されたネジが上記連結片の前面側に位置されたヒンジ部材に螺着された
ことを特徴とする情報処理装置。
【発明の詳細な説明】
【技術分野】
【０００１】
本発明は新規なディスプレイ装置及び情報処理装置に関する。詳しくは、薄型化を可能にしたディスプレイ装置及び該ディスプレイ装置を備えた情報処理装置に関する。
【背景技術】
【０００２】
モバイルパソコンなどと称される小型で軽量のパーソナルコンピュータ等、小型・軽量で持ち運びをもっぱらにして外出先等で使用する情報処理装置にあっては、持ち運ぶ際に、手提げ鞄等に収納することを考慮して可能な限り薄型であることが望まれる。
【０００３】
ところで、表示手段として液晶セルを使用する場合、液晶セル(liquid crystal cell)やバックライト光源の駆動用の回路基板が必要であり、これら回路基板や該回路基板と外部の回路或いは電源との接続用のハーネスを、通常、例えば、特許文献１（特に図２、図５参照）のように、液晶モジュールとリアパネルとの間の狭い間隙に配置していた。
【０００４】
【特許文献１】特開２００５−２４７５１号公報
【発明の開示】
【発明が解決しようとする課題】
【０００５】
ところで、液晶セルを使用したディスプレイ装置そのものが薄いため、ねじれや曲げに対する剛性が低く、回路基板や接続用ハーネスを液晶モジュールとリアパネルとの間の間隙に配置した場合、リアパネルのねじれや曲げが起こったり、或いはバックパネルの背面に異物が当接したりすると、回路基板やハーネスが液晶モジュールの背面を押圧することになり、圧力に弱い液晶セルに不具合が発生する原因となり、最悪の場合には圧力のかかった部分の画素が不良になってしまうことがある。
【０００６】
本発明は、上記した問題に鑑み、液晶モジュールとリアパネルとの間の間隙には何も存在させないようにすることを課題とする。
【課題を解決するための手段】
【０００７】
本発明ディスプレイ装置は、上記した課題を解決するために、液晶モジュールと、上記液晶モジュールの背面を覆うリアパネルと、上記液晶モジュールの前面の周縁部を覆う前縁部材と、上記液晶モジュール駆動用の回路基板とを備え、上記液晶モジュールは、液晶セルと、上記液晶セルの背面側に位置した導光板と、上記導光板の背面側に位置した反射板と、上記導光板の少なくとも一の端面に対向するように配置された複数の発光ダイオード（以下、「ＬＥＤ」という）と、上記反射板の周縁に沿った部分を背面側に覆うスペーサ部を有すると共に上記液晶セル、導光板、反射板及びＬＥＤを保持する保持枠とから成り、上記回路基板は上記リアパネルと前縁部材との間の空間で上記液晶モジュールとほぼ同一の平面上に配置され、上記リアパネルの後面部の前面の周縁寄りの少なくとも互いに対向した側縁に沿う位置の少なくとも一部に前方へ突出した段差部が形成され、上記液晶モジュールの保持枠のスペーサ部の少なくとも互いに対向した側縁に沿う部分の少なくとも一部が上記段差部に当接され、液晶モジュールの反射板とリアパネルの後面部との間に上記段差部の後面部からの突出高さと保持枠のスペーサ部の板厚との和に等しい間隙が形成され、上記リアパネルの後面部の少なくとも４隅部に上記液晶モジュールの４隅部を平面方向で受ける受け部が形成され、上記回路基板は上記保持枠に取り付けられ、上記回路基板を外部と接続するためのハーネスが液晶モジュールの側方に配置され、上記リアパネルに形成された連結片を後方から挿通されたネジが上記連結片の前面側に位置されたヒンジ部材に螺着されている。
【０００８】
従って、本発明ディスプレイ装置にあっては、液晶モジュールとリアパネルとの間の間隙には回路基板は配置されない。
【０００９】
本発明情報処理装置は、本発明ディスプレイ装置を備える。
【発明の効果】
【００１０】
本発明ディスプレイ装置は、液晶モジュールと、上記液晶モジュールの背面を覆うリアパネルと、上記液晶モジュールの前面の周縁部を覆う前縁部材と、上記液晶モジュール駆動用の回路基板とを備えたディスプレイ装置であって、上記液晶モジュールは、液晶セルと、上記液晶セルの背面側に位置した導光板と、上記導光板の背面側に位置した反射板と、上記導光板の少なくとも一の端面に対向するように配置された複数のＬＥＤと、上記反射板の周縁に沿った部分を背面側に覆うスペーサ部を有すると共に上記液晶セル、導光板、反射板及びＬＥＤを保持する保持枠とから成り、上記回路基板は上記リアパネルと前縁部材との間の空間で上記液晶モジュールとほぼ同一の平面上に配置され、上記リアパネルの後面部の前面の周縁寄りの少なくとも互いに対向した側縁に沿う位置の少なくとも一部に前方へ突出した段差部が形成され、上記液晶モジュールの保持枠のスペーサ部の少なくとも互いに対向した側縁に沿う部分の少なくとも一部が上記段差部に当接され、液晶モジュールの反射板とリアパネルの後面部との間に上記段差部の後面部からの突出高さと保持枠のスペーサ部の板厚との和に等しい間隙が形成され、上記リアパネルの後面部の少なくとも４隅部に上記液晶モジュールの４隅部を平面方向で受ける受け部が形成され、上記回路基板は上記保持枠に取り付けられ、上記回路基板を外部と接続するためのハーネスが液晶モジュールの側方に配置され、上記リアパネルに形成された連結片を後方から挿通されたネジが上記連結片の前面側に位置されたヒンジ部材に螺着されていることを特徴とする。
【００１１】
従って、本発明ディスプレイ装置にあっては、液晶モジュールとリアパネルとの間の間隙には回路基板は配置されない。従って、十分に薄型化しても、液晶モジュールとリアパネルとの間の間隙を十分に確保することが可能になり、リアパネルのねじれや曲がりによってリアパネルが液晶モジュールに接触するおそれが減少する。また、液晶モジュールの組み立てのために必要な部材である保持枠を利用して十分な間隙をリアパネルの後面部と反射板との間に設けることができる。また、液晶モジュールがリアパネルに精確に位置決めされると共に、リアパネルにねじれや曲がりが生じても、回路基板はリアパネルから分離されているので、リアパネルのねじれや曲がりが回路基板に及んで、回路基板が破損されるおそれがない。また、ハーネスがリアパネルと液晶モジュールとの間の間隙を狭くすることがない。また、ディスプレイ装置をヒンジ部材に連結するためのネジがディスプレイ装置の薄型化を阻害することがない。
【００１２】
本発明情報処理装置は、ディスプレイ装置を備えた情報処理装置であって、上記ディスプレイ装置は、液晶モジュールと、上記液晶モジュールの背面を覆うリアパネルと、上記液晶モジュールの前面の周縁部を覆う前縁部材と、上記液晶モジュール駆動用の回路基板とを備え、上記液晶モジュールは、液晶セルと、上記液晶セルの背面側に位置した導光板と、上記導光板の背面側に位置した反射板と、上記導光板の少なくとも一の端面に対向するように配置された複数のＬＥＤと、上記反射板の周縁に沿った部分を背面側に覆うスペーサ部を有すると共に上記液晶セル、導光板、反射板及びＬＥＤを保持する保持枠とから成り、上記回路基板は上記リアパネルと前縁部材との間の空間で上記液晶モジュールとほぼ同一の平面上に配置され、上記リアパネルの後面部の前面の周縁寄りの少なくとも互いに対向した側縁に沿う位置の少なくとも一部に前方へ突出した段差部が形成され、上記液晶モジュールの保持枠のスペーサ部の少なくとも互いに対向した側縁に沿う部分の少なくとも一部が上記段差部に当接され、液晶モジュールの反射板とリアパネルの後面部との間に上記段差部の後面部からの突出高さと保持枠のスペーサ部の板厚との和に等しい間隙が形成され、上記リアパネルの後面部の少なくとも４隅部に上記液晶モジュールの４隅部を平面方向で受ける受け部が形成され、上記回路基板は上記保持枠に取り付けられ、上記回路基板を外部と接続するためのハーネスが液晶モジュールの側方に配置され、上記リアパネルに形成された連結片を後方から挿通されたネジが上記連結片の前面側に位置されたヒンジ部材に螺着されていることを特徴とする。
【００１３】
従って、本発明情報処理装置にあっては、ディスプレイ装置において、液晶モジュールとリアパネルとの間の間隙には回路基板は配置されない。従って、十分に薄型化しても、液晶モジュールとリアパネルとの間の間隙を十分に確保することが可能になり、リアパネルのねじれや曲がりによってリアパネルが液晶モジュールに接触おそれが減少する。また、液晶モジュールの組み立てのために必要な部材である保持枠を利用して十分な間隙をリアパネルの後面部と反射板との間に設けることができる。また、液晶モジュールがリアパネルに精確に位置決めされると共に、リアパネルにねじれや曲がりが生じても、回路基板はリアパネルから分離されているので、リアパネルのねじれや曲がりが回路基板に及んで、回路基板が破損されるおそれがない。また、ハーネスがリアパネルと液晶モジュールとの間の間隙を狭くすることがない。また、ディスプレイ装置をヒンジ部材に連結するためのネジがディスプレイ装置の薄型化を阻害することがない。
【発明を実施するための最良の形態】
【００１８】
以下に、本発明ディスプレイ装置及び情報処理装置を実施するための最良の形態について説明する。
【００１９】
図１に本発明情報処理装置の実施の形態を示す。なお、この実施の形態は本発明をノート型のパーソナルコンピュータ（以下、「パソコン」という）として適用したものである。
【００２０】
パソコン１は、本体部２と該本体部２にヒンジ部３、３を介して連結されたディスプレイ装置１０とから成る。本体部２は本体部筐体４内にＣＰＵ（Central Processing Unit、中央演算処理装置）、各種メモリ、映像処理部、データ処理部、その他必要な回路が形成されたメインボード他の回路基板、ＤＶＤ（Digital Versatile Disc）ドライブ、メモリカードスロット等の記録装置等が配置され、本体部筐体４の上面にはキーボード部５、ポンインティングデバイス６等が配置され、本体部筐体４の側面部には、図示しないが、上記したＤＶＤドライブのディスクトレーの出入り口、ＵＳＢ（Universal Serial Bus）コネクタ、ＩＥＥＥ（Institute of Electrical and Electronics Engineers）１３９４コネクタ、光通信インターフェースの受光部等が配置されている。
【００２１】
そして、ディスプレイ装置１０はヒンジ部３、３によって本体部２に開閉自在に連結され、図１に示す使用位置と本体部２の上面を覆う閉塞位置との間で回動可能にされている。
【００２２】
次ぎに、上記ディスプレイ装置１０の詳細について説明する。
【００２３】
ディスプレイ装置１０は、図２に示すように、液晶モジュール２０、回路基板３０等が前縁部材４０とリアパネル５０とによって形成される外殻部に収納されて成る。
【００２４】
上記液晶モジュール２０は、図３に示すように、前側から液晶セル２１０、プリズムシート２２０、導光板２３０及び反射板２４０が重ねて配置され、これらの積層体が保持枠２５０によって保持されて成る。上記プリズムシート２２０、導光板２３０及び反射板２４０は液晶セル２１０とほぼ同じ正面形状と大きさを有している。
【００２５】
上記プリズムシート２２０は、薄い透明シートの背面にプリズム状突起が無数に形成されてなるものである。例えば、プリズム状突起は先端角度が２０度〜１８０度くらいの三角形状断面をしていて、１０μｍ〜１ｍｍ位のピッチで透明シートの全面に亘って形成されている。従って、該プリズムシート２２０の背面に入射した光はプリズム状突起によって内面反射されてほぼシート面に垂直な向きで前方へ向かって出射される。
【００２６】
導光板２３０は透明な薄い板の背面に微細な凹凸が形成されたものであり、その端面から入射した光が内面反射等により導光板２３０全体に行き亘り、その光が背面の微細は凹凸によって反射されて前方へ出射される。なお、光を前方へ出射させる手段としては、上記した背面の微細な凹凸に限らず、前面に形成した微細な凹凸であってもかまわない。なお、何れにしても、一の端面から光を入射させるときは、入射端面に近い方から光が順次前方へ出射していくので、入射端面から遠い位置では光量が不足することがある。そのため、微細な凹凸の形成密度を入射端面に近いところでは粗にし、入射端面から離れるに従って密にすることによって、導光板２３０の前面から出射する光の量を全体に亘って均一にすることができる。なお、この導光板２３０はその上下幅が反射板２４０の上下幅より僅かに小さく形成されている。
【００２７】
反射板２４０は、電気絶縁性を有する薄い板２４１の下端縁に近接して左右に帯状に延びる発光体配置部２４２を残した部分の前面全体に反射膜２４３を形成して成る。上記反射膜２４３は真空蒸着法、イオンプレーティーング法等適宜の手段によって形成される。また、上記発光体配置部２４２の前面には左右方向に多数のＬＥＤ２４４、２４４、・・・が配列されている。なお、上記発光体配置部２４２にはＬＥＤ２４４、２４４、・・・を点灯回路に接続するための図示しない配線導体が形成される。上記配線導体は上記反射膜２４３を形成する際にマスキング等を利用して同時に形成しても良い。
【００２８】
そして、上記反射板２４０を導光板２３０の背面側に重ねると、発光体配置部２４２に配置されたＬＥＤ２４４、２４４、・・・が反射板２３０の下端面２３１（入射端面となる）と対向する。従って、ＬＥＤ２４４、２４４、・・・が発光すると、その光が導光板２３０の入射端面２３１から導光板２３０に入射して導光板２３０の全体に行き亘ると共に導光板２３０から前方へ出射し、かつ、プリズムシート２２０によって液晶セル２１０の前面にほぼ垂直な光となって液晶セル２１０に入射する。従って、ＬＥＤ２４４、２４４、・・・の光が液晶セル２２０のバックライトとして効率的に機能する。なお、導光板２３０の背面から出射する光もあるが、そのような光は反射板２４０の反射膜２４３によって反射されて導光板２３０に戻される。従って、導光板２３０に入射した光が無駄なく液晶セル２１０のバックライトとして利用される。
【００２９】
上記したように、ＬＥＤ２４４、２４４、・・・を別個の回路基板に搭載せずに、反射板２４０の一部を利用して配置することによって、部品点数を減少させ、かつ、導光板２３０の入射端面２３１とＬＥＤ２４４、２４４、・・・との間の位置合わせも容易になる。
【００３０】
保持枠２５０は薄い金属板を折曲加工等して形成される。保持枠２５０は四角い枠状の後面受け部２５１を有し、該後面受け部２５１はスペーサ部ともなる。後面受け部２５１の下縁部２５１ａは他の部分より幅広に形成され、かつ、左右両端部２５１ａ´、２５１ａ´はやや下方へ膨らんでいる。上記後面受け部２５１の上縁部、左右側縁部及び下縁部２５１ａの両端部２５１ａ´、２５１ａ´には外縁に沿って側面部２５２が形成されている。後面受け部２５１の下縁部２５１ａの下縁の両端部２５１ａ´、２５１ａ´寄りの位置から下方へ向けて基板取付部２５３、２５３が突設されている。この基板取付部２５３、２５３にはビス孔２５３ａ、２５３ａが形成されている。
【００３１】
そして、重ねられた状態の液晶セル２１０、プリズムシート２２０、導光板２３０及び反射板２４０が保持枠２５０の後面受け部２５１の前面に載置される。このとき、保持枠２５０の側面部２５２が上記重ねられた液晶セル２１０、プリズムシート２２０、導光板２３０及び反射板２４０の上及び左右の側面に接触した状態となる。なお、反射板２４０の背面のうち上及び左右の側縁部は両面接着テープ等によって互いに接着しても良い。上記重ねられた４つの部材が保持枠２５０に載置された状態で、粘着テープ２５４、２５４、２５４が上及び左右において、保持枠２５０の後面受け部２５１の背面、側面部２５２の外面及び液晶セル２１０の前面に接着される。すなわち、粘着テープ２５４、２５４、２５４がＵ字チャンネル状の受け縁を形作り、該粘着テープの受け縁によって保持枠２５０の背面と液晶セル２１０の前面を外縁部で挟み込んだ状態となる。
【００３２】
以上のようにして液晶モジュール２０が形成される。なお、プリズムシート２２０は、導光板２３０から出射される光を液晶セル２１０を透過しやすい向きにしてバックライト光源の光の利用効率を高めるが、液晶モジュール２０にとって必須のものではなく、これを省いても良い。
【００３３】
回路基板３０は横長の帯状に形成された基板上に上記液晶セル２１０を駆動するための回路及び上記ＬＥＤ２４４、２４４、・・・を点灯させるための回路が形成されている。該回路基板３０の両端部には図示しない取付孔が形成されており、後方から回路基板３０の上記取付孔を挿通されたビス２５５、２５５が保持枠２５０の上記基板取付部２５３、２５３のビス孔２５３ａ、２５３ａに螺合され、これによって、回路基板３０は保持枠２５０に支持され（図５参照）、液晶モジュール２０とほぼ同一の平面上に位置されることになる。なお、回路基板３０からは外部、すなわち、パソコン１の本体部２内の回路との接続用のハーネス３１０及び液晶セル２１０及びＬＥＤ２４４、２４４、・・・との接続用のフレキシブル基板３２０、３２０が導出されており、図５に示すように、フレキシブル基板３２０、３２０は保持枠２５０の後面受け部２５１の下縁部２５１ａの両端部２５１ａ´、２５１ａ´の背面に貼り付けられた状態で液晶セル２１０及びＬＥＤ２４４、２４４、・・・と接続されている（接続の詳細は図示していない）。
【００３４】
このように、回路基板３０は、外殻部である前縁部材４０及びリアパネル５０に取り付けられていないため、外殻部である前縁部材４０やリアパネル５０にねじれや曲がり等の変形が生じても、該変形による応力が直接回路基板３０に加わることが無く、外殻部に加えられた力によって回路基板３０が破損することが避けられる。また、回路基板３０を液晶モジュール２０の下側に位置させることによって、パソコン１の本体部２内の回路との間の距離が短くなり、接続が容易になる。
【００３５】
上記した液晶モジュール２０及び回路基板３０は、前縁部材４０とリアパネル５０とから成る外殻部に収納される。
【００３６】
前縁部材４０は合成樹脂で形成され、図６に示すように、左右方向に長い長方形をした額縁状をした前面部４１０の外周縁部に後方へ突出した立上壁４２０が形成されている。上記立上壁４２０の下縁部の両端寄りの部分には切欠部４２１、４２１が形成されている。また、上記立上壁４２０の上縁に沿って形成された部分４２０ａは横断面で見て丸みを帯びた逆Ｖ字状に形成されている（図１４参照）。
【００３７】
上記立上壁４２０の左右両側に位置する部分の上下両端からやや下方及び上方へ離れた計４カ所の内面に沿って後方へ突出された係合受け部４２２、４２２、・・・が形成されされている。そして、該係合受け部４２２、４２２、・・・の立上壁４２０の後端よりさらに後方へ突出した部分の外面に凹部４２２ａ、４２２ａ、・・・が形成され、該凹部４２２ａ、４２２ａ、・・・の後面が係合面４２２ｂ、４２２ｂ、・・・とされている（図１１参照）。
【００３８】
上記前面部４１０の左右両側部の上下方向におけるほぼ中央部で立上壁４２０からやや離間した位置に係合片４１１、４１１が後方へ向けて突設されており、該係合片４１１、４１１の後端部に立上壁４２０の方へ向かって突出した係合爪４１１ａ、４１１ａが形成されている（図１２参照）。また、前面部の下辺部の立上壁４２０からやや離間した位置に係合片４１２、４１２、４１２が後方へ向けて突設されており、該係合片４１２、４１２、４１２の後端部に立上壁４２０の方へ向かって突出した係合爪４１２ａ、４１２ａ、４１２ａが形成されている（図１３参照）。
【００３９】
さらに、前面部４１０の下辺部の左右両端部には挿通孔４１３、４１３が形成されている。
【００４０】
リアパネル５０は、図７乃至図９に示すように、上記前縁部材４０の外形状とほぼ同じ大きさの長方形状をした板状の後面部５１０を備える。上記後面部５１０の外周縁部の外端縁から僅かに内側に入った位置に前方へ突出した立上壁５２０が形成されている。該立上壁５２０と後面部５１０の外端縁との間の間隔は前縁部材４０の立上壁４２０の板厚とほぼ等しくされている。上記立上壁５２０のうち下縁に沿って形成された部分の左右両端寄りの部分には切欠部５２１、５２１が形成されており、後面部５１０の上記切欠部５２１、５２１に対応した位置からは連結片５１１、５１１が下方へ向けて突設されている。該連結片５１１、５１１にはネジ挿通孔５１１ａ、５１１ａが形成されている。
【００４１】
後面部５１０の前面の左右両側部のほぼ全長に亘って上記立上壁５２０の内側にやや間隔をあけて仕切り壁５３１、５３１が形成され、また、後面部５１０の前面の上端部の立上壁５２０の内側に僅かに間隔をあけて複数の仕切壁５３２、５３２、５３２が形成されている。さらに、後面部５１０の前面の下端部のほぼ切欠部５２１、５２１の上方に離間した位置に仕切壁５３３、５３３が形成されている。
【００４２】
上記後面部５１０の上端部の全長に亘って上記仕切壁５３２、５３２、５３２の内側に接して延びる位置及び後面部５１０の左右両端部のほぼ全長に亘って仕切壁５３１、５３１の内側に接して延びる位置に前方への突出高さが小さい段差部５３４が形成されている（図１１、図１４参照）。
【００４３】
上記立上壁５２０のうち上縁部に沿う部分の外側面の前端部には複数の係合爪５２２、５２２、・・・が形成されている（図１４参照）。立上壁５２０のうち側縁部に沿う部分の上端寄りの位置と中央よりやや下端寄りの位置との内面の前端部に外方へ突出した係合爪５２３、５２３、・・・が形成されている（図１１参照）。
【００４４】
後面部５１０の左右側部において立上壁５２０と仕切壁５３１、５３１と間の上下方向におけるほぼ中央に係合片５１２、５１２が前方へ向けて突設され、該係合片５１２、５１２の前端には仕切壁５３１、５３１の方へ向かって突出した係合爪５１２ａ、５１２ａが形成されている（図１２参照）。また、後面部５１０の下縁部の立上壁５２０からやや上方へ離間した位置に係合片５１３、５１３、５１３が前方へ向けて突設されており、該係合片５１３、５１３、５１３の前端部には上方へ向かって突出した係合爪５１３ａ、５１３ａ、５１３ａが形成されている（図１３参照）。
【００４５】
上記後面壁５１０と立上壁５２０と仕切壁５３１、５３１とによって囲まれた左右両側部の上下に細長い空間のうち上端寄りの位置にアンテナ収容部５４０、５４０が形成されている。
【００４６】
また、上記細長い空間の下端部にネジ下穴５１４、５１４が形成されている。
【００４７】
上記したリアパネル５０は殆どの部分がカーボンクロスを樹脂、例えば、エポキシ樹脂、アクリル樹脂等で固めたカーボン板で形成され（図９参照）、左右両側部の僅かな部分が合成樹脂で形成されている。具体的には、図８において、左右の細長く帯状に上下に延びる部分５０Ｐ、５０Ｐの部分が合成樹脂で形成され、これら合成樹脂部分５０Ｐと５０Ｐとの間の部分５０Ｃがカーボン板で形成されている。図７の正面図で見て、立上壁５２０のうち左右両側縁に沿う部分及び該部分の上下両端から僅かに側方へ延びる部分５２０（Ｐ）が合成樹脂で形成され、また、アンテナ収容部５４０、５４０が合成樹脂で形成され、かつ、これらの部分が正面から見えている。
【００４８】
上記したように、リアパネル５０の大部分をカーボン板で形成することにより、リアパネル５０の軽量化と強度の向上が図れる。
【００４９】
上記液晶モジュール２０及び回路基板３０は以下のようにして前縁部材４０とリアパネル５０とによって保持される。
【００５０】
図１０に液晶モジュール２０及び回路基板３０をリアパネル５０の前側に載置した状態を示す。液晶モジュール２０はその上端縁は仕切壁５３２、５３２、５３２と、左右側縁は仕切壁５３１、５３１と、下端縁の両端部は仕切壁５３３、５３３と、それぞれ当接して位置決めされる（図１１、図１４等参照）。すなわち、上記各仕切壁５３２、５３２、５３２、５３１、５３１、５３３、５３３は、液晶モジュール２０の少なくとも４隅部を平面方向で受けて、位置決めする受け部となる。そして、液晶モジュール２０の保持枠２５０の後面受け部２５１はリアパネル５０の段差部５３４の前面に当接した状態となる（図１１、図１４参照）。従って、保持枠２５０の後面受け部２５１はスペーサとして機能し、上記段差部５３４の後面部５１０内面からの突出量に後面受け部２５１の厚さをプラスした大きさの間隙６０が反射板２４０とリアパネル５０の後面部５１０との間に形成されることになり、この間隙６０のために、仮に、リアパネル５０にねじれや曲がりが生じても、リアパネル５０の後面部５１０が反射板２４０を介して液晶セル２１０を押圧するようなことを避けることができる。
【００５１】
液晶モジュール２０が、上記したように、リアパネル５０に載置された状態で、保持枠２５０の基板取付部２５３、２５３はリアパネル５０の立上壁５２０の下縁の切欠部５２１、５２１を通って下方へ突出され、従って、回路基板３０はリアパネル５０の後面部５１０のうち下側の仕切壁５３３、５３３と立上壁５２０の下縁に沿う部分との間の部分に位置した状態となる。そしして、回路基板３０の回路とパソコン１の本体部筐体４内の回路とを接続するためのハーネス３１０は回路基板３０と立上壁５２０の下縁に沿う部分との間を通って立上壁５２０の下縁部の一方の切欠部５２１からディスプレイ装置１０外へと導出される。
【００５２】
液晶モジュール２０及び回路基板３０が上記したようにリアパネル５０に載置された状態で、前縁部材４０がリアパネル５０に結合される。前縁部材４０はリアパネル５０に前側から重ねられる。そして、前縁部材４０の立上部４２０の上縁に沿う部分４２０ａの内側後縁にリアパネル５０の立上壁５２０の上縁部外面に形成された係合爪５２２、５２２、・・・が係合し（図１４参照）、前縁部材４０の立上壁４２０の側縁部に沿って形成された係合受け部４２２、４２２、・・・の係合面４２２ｂ、４２２ｂ、・・・にリアパネル５０の立上壁５２０の側縁部の内面に形成された係合爪５２３、５２３、・・・が係合し（図１１参照）、前縁部材４０の左右側部に形成された係合片４１１、４１１の係合爪４１１ａ、４１１ａがリアパネル５０の左右側部に形成された係合片５１２、５１２の係合爪５１２ａ、５１２ａと係合し（図１２参照）、さらに、前縁部材４０の下縁部に形成された係合片４１２、４１２、４１２の係合爪４１２ａ、４１２ａ、４１２ａがリアパネル５０の下縁部に形成された係合片５１３、５１３、５１３の係合爪５１３ａ、５１３ａ、５１３ａと係合し（図１３参照）、これによって、前縁部材４０がリアパネル５０に結合される。さらに、前側から前縁部材４０の下辺部の左右両端部に形成された挿通孔４１３、４１３を挿通されたネジ４３０、４３０がリアパネル５０の両側部の下端部に形成されたネジ下穴５１４、５１４に螺着される。液晶モジュール２０はその周縁部を前縁部材４０とリアパネル５０とで前後から挟持された状態となる。また、前縁部材４０の立上壁４２０の下縁部の左右両端部に形成された切欠部４２１、４２１とリアパネル５０の立上壁５２０の下縁部の左右両端部に形成された切欠部５２１、５２１とが重なり、ここに保持枠２５０の基板取付部２５３、２５３が挿通される孔が形成される。
【００５３】
そして、上記ディスプレイ装置１０をパソコン１の本体部２に開閉自在に連結するためのヒンジ（詳細は図示せず）のヒンジ部材（連結部）７０がリアパネル５０の連結片５１１、５１１の前側に位置され、上記連結片５１１、５１１のネジ挿通孔５１１ａ、５１１ａを後方から挿通されたネジ５５０、５５０がヒンジ部材７０、７０に形成されたネジ孔７１、７１に螺合され（図１５参照）、これによって、ディスプレイ装置１０がパソコン１の本体部２に開閉自在に結合される。なお、ヒンジ部材７０の前側はパソコン本体部２の筐体４の一部４ａによって覆われる。ヒンジ部材への結合用ネジをリアパネルとその前側を覆う部材との間で螺合するようにすると、ネジの頭の分の空間がリアパネル５０とその前側を覆う部材との間に必要となり、ディスプレイ装置の厚みを増大させる要因となるが、上記したように、ネジ５５０、５５０を外側（後方）から挿通してヒンジ部材７０に螺着するように構成すると、リアパネル５０とその前側を覆う部材との間にネジ５５０、５５０の頭の分の空間を必要とせず、その分、ディスプレイ装置を薄型に構成することができる。
【００５４】
以上に記載したように、本発明にあっては、液晶モジュール２０とリアパネル５０との間に回路基板やハーネスを配置する必要がないため、液晶モジュール２０とリアパネル５０との間の間隔を狭めることが可能となり、ディスプレイ装置１０の薄型化が可能になる。
【００５５】
また、リアパネル５０にねじれや曲がりが生じることがあっても、リアパネル５０と液晶モジュール２０との間にリアパネル５０の変形を液晶モジュールへと仲介するものが存在しないので、液晶モジュール２０、特に、その液晶セル２１０をに圧力が加えられるようなことが無く、液晶モジュール２０の長寿命化が可能になる。
【００５６】
なお、上記した実施の形態では、本発明ディスプレイ装置をパソコンのディスプレイ装置として適用した例を示したが、パソコン以外の機器のディスプレイ装置として適用してもかまわないものである。
【００５７】
その他、上記した実施の形態において示した各部の形状及び構造は、何れも本発明を実施するに際して行う具体化のほんの一例を示したものにすぎず、これらによって、本発明の技術的範囲が限定的に解釈されることがあってはならないものである。
【図面の簡単な説明】
【００５８】
【図１】本発明情報処理装置の実施の形態を示す概略斜視図である。
【図２】ディスプレイ装置の概略分解斜視図である。
【図３】液晶モジュールの概略分解斜視図である。
【図４】保持枠の正面図である。
【図５】回路基板と取り付けた状態の保持枠の概略背面図である。
【図６】前縁部材の概略背面図である。
【図７】リアパネルの概略正面図である。
【図８】リアパネルの概略背面図である。
【図９】リアパネルのカーボン板から成る部分の概略正面図である。
【図１０】リアパネルに液晶モジュール及び回路基板を載置した状態を示す概略正面図である。
【図１１】図１２乃至図１５にディスプレイ装置として組み立てられた状態における各部の断面図を示し、本図は図６のＸＩ−ＸＩ線に沿う拡大断面図である。
【図１２】図６のＸＩＩ−ＸＩＩ線に沿う拡大断面図である。
【図１３】図６のＸＩＩＩ−ＸＩＩＩ線に沿う拡大断面図である。
【図１４】図７のＸＩＶ−ＸＩＶ線に沿う拡大断面図である。
【図１５】図７のＸＶ−ＸＶ線に沿う拡大断面図である。
【符号の説明】
【００５９】
１…パーソナルコンピュータ（情報処理機器）、１０…ディスプレイ装置、２０…液晶モジュール、２１０…液晶セル、２３０…導光板、２４０…反射板、２４４…発光ダイオード、２５０…保持枠、２５１…後面受け部（スペーサ部）、３０…回路基板、３１０…ハーネス、４０…前縁部材、５０…リアパネル、５１０…後面部、５１１…連結片、５３１、５３２、５３３…仕切壁（受け部）、５３４…段差部、５５０…ネジ、６０…間隙、７０…ヒンジ部材
【図１】
0004538743.tif 000002
【図２】
0004538743.tif 000003
【図３】
0004538743.tif 000004
【図４】
0004538743.tif 000005
【図５】
0004538743.tif 000006
【図６】
0004538743.tif 000007
【図７】
0004538743.tif 000008
【図８】
0004538743.tif 000009
【図９】
0004538743.tif 000010
【図１０】
0004538743.tif 000011
【図１１】
0004538743.tif 000012
【図１２】
0004538743.tif 000013
【図１３】
0004538743.tif 000014
【図１４】
0004538743.tif 000015
【図１５】
0004538743.tif 000016